【手続補正書】
【提出日】平成16年11月25日(2004.11.25)
【手続補正１】
【補正対象書類名】明細書
【補正対象項目名】特許請求の範囲
【補正方法】変更
【補正の内容】
【特許請求の範囲】
【請求項１】
クライアント側のインターネット端末と、コンテンツを検証する検証システムと、前記インターネット端末と前記検証システムとの情報をつなぐコンテンツサーバとを有するインターネットデータコンテンツ検証システムにおいて、
上記コンテンツサーバは、ユーザ管理情報を有し、前記ユーザ管理情報に基づいて上記クライアントの認証を行なうと共に、上記インターネット端末から送付されたデータコンテンツを受信し、
上記検証システムは、データコンテンツ送出手段と、信号処理手段と、複数種類の複数のテレビ用映像受信機と、映像受信機選択手段と、ストリーム生成デバイスとを有し、
上記データコンテンツ送出手段は、上記インターネット端末から送付されたデータコンテンツとデータコンテンツ管理情報とを有し、当該データコンテンツ管理情報に基づいてデータコンテンツ用ストリームを上記信号処理手段に送出し、
上記映像受信機選択手段は、上記クライアントから指定された映像受信機を選択し、
上記ストリーム生成デバイスは、上記映像受信機選択手段によって選択された映像受信機の映像と音声とデータコンテンツの映像状態に基づいて、当該映像と音声とデータコンテンツのストリームを生成し、
上記生成されたストリームは、上記コンテンツサーバを介し、上記クライアント側のインターネット端末に送出される
ことを特徴とするインターネットデータコンテンツ検証システム。
【請求項２】
データコンテンツを検証するデータコンテンツ検証装置において、
クライアント側のインターネット端末から送付されるデータコンテンツを受け取る受信手段と、
上記データコンテンツをデータコンテンツ用ストリームにして送出するデータコンテンツ送出手段と、
上記データコンテンツ送出手段からのデータコンテンツ用ストリームを複数種類の複数の映像受信機に映し出せるように処理を施す信号処理手段と、
上記インターネット端末から指定された映像受信機を選択する映像受信機選択手段と、
上記映像受信機選択手段によって選択された映像受信機におけるデータコンテンツの映像状態に基づいて、当該映像状態におけるデータコンテンツのストリームを生成するストリーム生成手段と、
を具え、
上記ストリーム生成手段により生成されたストリームの映像を上記インターネット端末上で確認して、データコンテンツを検証すること
を特徴とするデータコンテンツ検証装置。
【請求項３】
上記映像受信機選択手段は、上記インターネット端末により、複数種類の複数の映像受信機から所望の映像受信機をリアルタイムに選択できることを特徴とする請求項２に記載のデータコンテンツ検証装置。
【請求項４】
データコンテンツを検証するデータコンテンツ検証装置において、
クライアント側のインターネット端末から送付されたデータコンテンツとデータコンテンツ管理情報とを有する手段と、
上記データコンテンツ管理情報に基づいて上記データコンテンツをストリームにして送出するデータコンテンツ送出手段と、
テレビ映像用ストリームとテレビ音声用ストリームと上記データコンテンツ送出手段で送出した上記ストリームとを複数種類の複数の映像受信機に映し出せるように処理を施す信号処理手段と、
上記インターネット端末から指定された映像受信機を選択する映像受信機選択手段と、
上記映像受信機選択手段によって選択された映像受信機における映像と音声とデータコンテンツの映像状態に基づいて、当該映像と音声とデータコンテンツのストリームを生成するストリーム生成手段と
を具え、
上記ストリーム生成手段により生成されたストリームをインターネット端末上に反映させて確認し、データコンテンツを検証すること
を特徴とするデータコンテンツ検証装置。
【請求項５】
クライアント側のインターネット端末と、複数種類の複数の映像受信機を有するコンテンツ検証装置とを有するインターネットデータコンテンツ検証システムにおいて、
上記コンテンツ検証装置は、上記インターネット端末から送付されたデータコンテンツを上記複数の映像受信機に送出するように当該データコンテンツに対して処理を施し、
上記クライアントが上記複数の映像受信機に対して所望の映像受信機を選択できるような選択手段を設け、
上記処理が施されたデータコンテンツを受信する上記選択された映像受信機におけるデータコンテンツの映像状態を、上記インターネット端末上に映し出すように処理を施すことを特徴とするインターネットデータコンテンツ検証システム。
【請求項６】
クライアント側のインターネット端末から送付されるデータコンテンツを受信し、
上記データコンテンツをデータコンテンツ用ストリームにして送出し、
上記送出されたデータコンテンツ用ストリームを複数種類の複数の映像受信機に映し出せるように信号処理し、
上記インターネット端末から指定された映像受信機を選択し、
上記選択された映像受信機におけるデータコンテンツの映像状態に基づいて、当該映像状態におけるデータコンテンツのストリームを生成し、
上記生成されたストリームの映像を上記インターネット端末上で確認して、データコンテンツを検証することを特徴とするデータコンテンツ検証方法。
【請求項７】
ネットワークをアクセスする機能を備えたクライアント側接続端末と、上記ネットワークにアクセスして上記クライアント側接続端末と接続する機能を備えると共に、上記クライアント側接続端末を登録管理する機能を備えたコンテンツサーバと、
上記コンテンツサーバに接続して、上記クライアント側接続端末から送付されたデータコンテンツを検証すると共に当該検証したデータコンテンツをトランスポートストリームにして放送設備を有する放送局に送出するコンテンツ検証送出部と、
上記放送局から配信されているデータ放送番組のデータコンテンツを受信して再生する複数種類の複数の映像受信機と、を具え、
上記トランスポートストリームされたデータコンテンツを受信する複数種類の複数の映像受信機におけるデータコンテンツの映像状態を、上記クライアント側接続端末上に映し出すように処理を施すこと
を特徴とするデータコンテンツ検証装置。
【請求項８】
上記複数種類の複数の映像受信機は、上記クライアント側接続端末で指定選択できるようにしたことを特徴とする請求項７に記載のデータコンテンツ検証装置。
【請求項９】
上記ネットワークは、インターネットである請求項７に記載のデータコンテンツ検証装置。
【請求項１０】
上記コンテンツ検証送出部は、上記データコンテンツを上記放送局から送出する日時のスケジューリングを行う手段を備えたことを特徴とする請求項７に記載のデータコンテンツ検証装置。
【請求項１１】
上記コンテンツ検証送出部は、上記データコンテンツを上記放送局から送出する日時のデータを、当該データコンテンツを送出する依頼をしたクライアント側接続端末に返信することを特徴とする請求項７に記載のデータコンテンツ検証装置。
【請求項１２】
上記クライアント側接続端末に返信する日時のデータは、電子メールで行うことを特徴とする請求項１１に記載のデータコンテンツ検証装置。
【請求項１３】
ネットワークをアクセスする機能を備えたクライアント側接続端末と、
データ放送番組のデータコンテンツを登録する機能を備えると共に上記クライアント側接続端末を登録管理する機能を備えたコンテンツサーバと、
上記クライアント側接続端末が上記ネットワークを介して上記コンテンツサーバをアクセスして所望のデータコンテンツを指定し、該指定したデータコンテンツを検証すると共に該検証したデータコンテンツからなるデータストリームと映像及び音声ストリームとを重畳させたストリームデータを所望の映像受信機に送出するコンテンツ検証送出部と、
上記所望の映像受信機で受信したストリームデータを映像／音声ストリームにして前記コンテンツサーバに送出するストリーム生成デバイスと、を具え
上記コンテンツサーバは、上記ストリーム生成デバイスからの上記映像／音声ストリームを上記データコンテンツを指定したクライアント側接続端末に映し出すように処理を施すことを特徴とするデータコンテンツ検証装置。
【請求項１４】
上記所望の映像受信機の選択は、上記記クライアント側接続端末からの映像受信機の選択を制御する擬似リモコンデバイスによることを特徴とする請求項１３に記載のデータコンテンツ検証装置。
【請求項１５】
上記所望の映像受信機は、各メーカで作成した複数種類の複数の映像受信機からなる請求項１３に記載のデータコンテンツ検証装置。
【請求項１６】
上記ネットワークは、インターネットである請求項１３に記載のデータコンテンツ検証装置。
【請求項１７】
上記コンテンツ検証送出部は、上記データコンテンツを上記放送局から送出する日時のスケジューリングを行なう手段を備えたことを特徴とする請求項１３に記載のデータコンテンツ検証装置。
【請求項１８】
上記コンテンツ検証送出部は、上記データコンテンツを送出する日時のデータを、当該データコンテンツを送出する依頼をしたクライアント側接続端末に返信することを特徴とする請求項１３に記載のデータコンテンツ検証装置。
【請求項１９】
上記クライアント側接続端末への返信は、電子メールで行うことを特徴とする請求項１８に記載のデータコンテンツ検証装置。
【請求項２０】
ネットワークをアクセスする機能を備えたクライアント側接続端末と、
上記ネットワークをアクセスして上記クライアント側接続端末と接続する機能を備えたコンテンツサーバと、
上記コンテンツサーバに接続すると共に、上記クライアント側接続端末を登録管理する機能を備えたユーザ管理サーバと、
上記コンテンツサーバに接続すると共に、上記クライアント側接続端末が指定したデータコンテンツを検証するのに要した料金を電子決済する課金サーバと、
上記コンテンツサーバに接続して、上記クライアント側接続端末で指定したデータコンテンツを検証すると共に該検証したデータコンテンツをトランスポート
ストリームにして放送設備を有する放送局に送出するコンテンツ検証送出部と、
上記放送局から配信されているデータ放送番組のデータコンテンツを受信して再生する複数種類の複数の映像受信機と、を具え、
上記トランスポートストリームされたデータコンテンツを受信する複数種類の複数の映像受信機におけるデータコンテンツの映像状態を、上記クライアント側接続端末上に映し出すように処理を施すこと
を特徴とするデータコンテンツ検証装置。
【請求項２１】
上記複数種類の複数の映像受信機は、上記クライアント側接続端末で予め指定選択できるようにしたことを特徴とする請求項２０に記載のデータコンテンツ検証装置。
【請求項２２】
上記ネットワークは、インターネットである請求項２０に記載のデータコンテンツ検証装置。
【請求項２３】
上記コンテンツ検証送出部は、上記データコンテンツを上記放送局から送出する日時のスケジューリングを行う手段を備えたことを特徴とする請求項２０に記載のデータコンテンツ検証装置。
【請求項２４】
上記コンテンツ検証送出部は、上記データコンテンツを上記放送局から送出する日時のデータを、当該データコンテンツを送出する依頼をしたクライアント側接続端末に返信することを特徴とする請求項２０に記載のデータコンテンツ検証装置。
【請求項２５】
上記クライアント側接続端末に返信する日時のデータは、電子メールで行うことを特徴とする請求項２４に記載のデータコンテンツ検証装置。
【請求項２６】
ネットワークをアクセスする機能を備えたクライアント側接続端末と、
上記ネットワークをアクセスして上記クライアント側接続端末と接続する機能を備えたコンテンツサーバと、
上記コンテンツサーバに接続すると共に、上記クライアント側接続端末を登録管理する機能を備えたユーザ管理サーバと、
上記コンテンツサーバに接続すると共に、上記クライアント側接続端末が上記コンテンツサーバに送付したデータコンテンツを検証するのに要した料金を電子決済する課金サーバと、
上記クライアント側接続端末が上記ネットワークを介して上記コンテンツサーバをアクセスして所望のデータコンテンツを指定し、該指定したデータコンテンツを検証すると共に該検証したデータコンテンツからなるデータストリームと映像及び音声ストリームとを重畳させたストリームデータを所望の映像受信機に入力するコンテンツ検証送出部と、
上記所望の映像受信機に入力したストリームデータを映像／音声ストリームにして上記コンテンツサーバに送出するストリーム生成デバイスと、を具え、
上記コンテンツサーバは、上記ストリーム生成デバイスからの上記映像／音声ストリームを上記データコンテンツを指定したクライアント側接続端末に映し出すように処理を施すこと
を特徴とするデータコンテンツ検証装置。
【請求項２７】
上記所望の映像受信機の選択は、上記クライアント側接続端末からの映像受信機の選択を制御する擬似リモコンデバイスによることを特徴とする請求項２６に記載のデータコンテンツ検証装置。
【請求項２８】
上記所望の映像受信機は、各メーカで作成した複数種類の複数の映像受信機からなる請求項２６に記載のデータコンテンツ検証装置。
【請求項２９】
上記ネットワークは、インターネットである請求項２６に記載のデータコンテンツ検証装置。
【請求項３０】
上記コンテンツ検証送出部は、上記データコンテンツを上記放送局から送出する日時のスケジューリングを行なう手段を備えたことを特徴とする請求項２６に記載のデータコンテンツ検証装置。
【請求項３１】
上記コンテンツ検証送出部は、上記データコンテンツを送出する日時のデータを、当該データコンテンツを送出する依頼をしたクライアント側接続端末に返信することを特徴とする請求項２６に記載のデータコンテンツ
検証装置。
【請求項３２】
上記クライアント側接続端末への返信は、電子メールで行うことを特徴とする請求項３１に記載のデータコンテンツ検証装置。
【手続補正２】
【補正対象書類名】明細書
【補正対象項目名】００１３
【補正方法】変更
【補正の内容】
【００１３】
（５）インターネットデータコンテンツ検証システムは、クライアント側のインターネット端末と、複数種類の複数の映像受信機を有するコンテンツ検証装置とを有するインターネットデータコンテンツ検証システムにおいて、上記コンテンツ検証装置は、上記インターネット端末から送付されたデータコンテンツを上記複数の映像受信機に送出するように当該データコンテンツに対して処理を施し、上記クライアントが上記複数の映像受信機に対して所望の映像受信機を選択できるような選択手段を設け、上記処理が施されたデータコンテンツを受信する上記選択された映像受信機におけるデータコンテンツの映像状態を、上記インターネット端末上に映し出すように処理を施すことである。
【手続補正３】
【補正対象書類名】明細書
【補正対象項目名】００１５
【補正方法】変更
【補正の内容】
【００１５】
（７）データコンテンツ検証装置は、ネットワークをアクセスする機能を備えたクライアント側接続端末と、上記ネットワークにアクセスして上記クライアント側接続端末と接続する機能を備えると共に、上記クライアント側接続端末を登録管理する機能を備えたコンテンツサーバと、上記コンテンツサーバに接続して、上記クライアント側接続端末から送付されたデータコンテンツを検証すると共に当該検証したデータコンテンツをトランスポートストリームにして放送設備を有する放送局に送出するコンテンツ検証送出部と、上記放送局から配信されているデータ放送番組のデータコンテンツを受信して再生する複数種類の複数の映像受信機と、を具え、上記トランスポートストリームされたデータコンテンツを受信する複数種類の複数の映像受信機におけるデータコンテンツの映像状態を、上記
クライアント側接続端末上に映し出すように処理を施すことである。
【手続補正４】
【補正対象書類名】明細書
【補正対象項目名】００１６
【補正方法】変更
【補正の内容】
【００１６】
（１３）データコンテンツ検証装置は、ネットワークをアクセスする機能を備えたクライアント側接続端末と、データ放送番組のデータコンテンツを登録する機能を備えると共に上記クライアント側接続端末を登録管理する機能を備えたコンテンツサーバと、上記クライアント側接続端末が上記ネットワークを介して上記コンテンツサーバをアクセスして所望のデータコンテンツを指定し、該指定したデータコンテンツを検証すると共に該検証したデータコンテンツからなるデータストリームと映像及び音声ストリームとを重畳させたストリームデータを所望の映像受信機に送出するコンテンツ検証送出部と、上記所望の映像受信機で受信したストリームデータを映像／音声ストリームにして前記コンテンツサーバに送出するストリーム生成デバイスと、を具え、上記コンテンツサーバは、上記ストリーム生成デバイスからの上記映像／音声ストリームを上記データコンテンツを指定したクライアント側接続端末に映し出すように処理を施すことである。
（１４）上記所望の映像受信機の選択は、上記記クライアント側接続端末からの映像受信機の選択を制御する擬似リモコンデバイスによることを特徴とする（１３）に記載のデータコンテンツ検証装置。
（１５）上記所望の映像受信機は、各メーカで作成した複数種類の複数の映像受信機からなる（１３）に記載のデータコンテンツ検証装置。
（１６）上記ネットワークは、インターネットである（１３）に記載のデータコンテンツ検証装置。
（１７）上記コンテンツ検証送出部は、上記データコンテンツを上記放送局から送出する日時のスケジューリングを行なう手段を備えたことを特徴とする（１３）に記載のデータコンテンツ検証装置。
（１８）上記コンテンツ検証送出部は、上記データコンテンツを送出する日時のデータを、当該データコンテンツを送出する依頼をしたクライアント側接続端末に返信することを特徴とする（１３）に記載のデータコンテンツ検証装置。
（１９）上記クライアント側接続端末への返信は、電子メールで行うことを特徴とする（１８）に記載のデータコンテンツ検証装置。
【手続補正５】
【補正対象書類名】明細書
【補正対象項目名】００１７
【補正方法】変更
【補正の内容】
【００１７】
（２０）データコンテンツ検証装置は、ネットワークをアクセスする機能を備えたクライアント側接続端末と、上記ネットワークをアクセスして上記クライアント側接続端末と接続する機能を備えたコンテンツサーバと、上記コンテンツサーバに接続すると共に、上記クライアント側接続端末を登録管理する機能を備えたユーザ管理サーバと、上記コンテンツサーバに接続すると共に、上記クライアント側接続端末が指定したデータコンテンツを検証するのに要した料金を電子決済する課金サーバと、上記コンテンツサーバに接続して、上記クライアント側接続端末で指定したデータコンテンツを検証すると共に該検証したデータコンテンツをトランスポートストリームにして放送設備を有する放送局に送出するコンテンツ検証送出部と、上記放送局から配信されているデータ放送番組のデータコンテンツを受信して再生する複数種類の複数の映像受信機と、を具え、上記トランスポートストリームされたデータコンテンツを受信する複数種類の複数の映像受信機におけるデータコンテンツの映像状態を、上記クライアント側接続端末上に映し出すように処理を施すことである。
（２１）上記複数種類の複数の映像受信機は、上記クライアント側接続端末で予め指定選択できるようにしたことを特徴とする（２０）に記載のデータコンテンツ検証装置。
（２２）上記ネットワークは、インターネットである（２０）に記載のデータコンテンツ検証装置。
（２３）上記コンテンツ検証送出部は、上記データコンテンツを上記放送局から送出する日時のスケジューリングを行う手段を備えたことを特徴とする（２０）に記載のデータコンテンツ検証装置。
（２４）上記コンテンツ検証送出部は、上記データコンテンツを上記放送局から送出する日時のデータを、当該データコンテンツを送出する依頼をしたクライアント側接続端末に返信することを特徴とする（２０）に記載のデータコンテンツ検証装置。
（２５）上記クライアント側接続端末に返信する日時のデータは、電子メールで行うことを特徴とする（２４）に記載のデータコンテンツ検証装置。
【手続補正６】
【補正対象書類名】明細書
【補正対象項目名】００１８
【補正方法】変更
【補正の内容】
【００１８】
（２６）データコンテンツ検証装置は、ネットワークをアクセスする機能を備えたクライアント側接続端末と、上記ネットワークをアクセスして上記クライアント側接続端末と接続する機能を備えたコンテンツサーバと、上記コンテンツサーバに接続すると共に、上記クライアント側接続端末を登録管理する機能を備えたユーザ管理サーバと、上記コンテンツサーバに接続すると共に、上記クライアント側接続端末が上記コンテンツサーバに送付したデータコンテンツを検証するのに要した料金を電子決済する課金サーバと、上記クライアント側接続端末が上記ネットワークを介して上記コンテンツサーバをアクセスして所望のデータコンテンツを指定し、該指定したデータコンテンツを検証すると共に該検証したデータコンテンツからなるデータストリームと映像及び音声ストリームとを重畳させた
ストリームデータを所望の映像受信機に入力するコンテンツ検証送出部と、上記所望の映像受信機に入力したストリームデータを映像／音声ストリームにして上記コンテンツサーバに送出するストリーム生成デバイスと、を具え、上記コンテンツサーバは、上記ストリーム生成デバイスからの上記映像／音声ストリームを上記データコンテンツを指定したクライアント側接続端末に映し出すように処理を施すことである。
（２７）上記所望の映像受信機の選択は、上記クライアント側接続端末からの映像受信機の選択を制御する擬似リモコンデバイスによることを特徴とする（２６）に記載のデータコンテンツ検証装置。
（２８）上記所望の映像受信機は、各メーカで作成した複数種類の複数の映像受信機からなる（２６）に記載のデータコンテンツ検証装置。
（２９）上記ネットワークは、インターネットである（２６）に記載のデータコンテンツ検証装置。
（３０）上記コンテンツ検証送出部は、上記データコンテンツを上記放送局から送出する日時のスケジューリングを行なう手段を備えたことを特徴とする（２６）に記載のデータコンテンツ検証装置。
（３１）上記コンテンツ検証送出部は、上記データコンテンツを送出する日時のデータを、当該データコンテンツを送出する依頼をしたクライアント側接続端末に返信することを特徴とする（２６）に記載のデータコンテンツ検証装置。
（３２）上記クライアント側接続端末への返信は、電子メールで行うことを特徴とする（３１）に記載のデータコンテンツ検証装置。